【手続補正書】
【提出日】平成27年5月9日(2015.5.9)
【手続補正１】
【補正対象書類名】明細書
【補正対象項目名】０００４
【補正方法】変更
【補正の内容】
【０００４】
Ｘ線窓に関連する情報は、米国特許第４，９３３，５５７号、第７，７３７，４２４号、第７，７０９，８２０号、第７，７５６，２５１号、ならびに米国特許出願第１１／７５６，９６２号、第１２／７８３，７０７号、第１２／８９９，７５０号、第１３／０１８，６６７号、第６１／４０８，４７２号、第６１／４４５，８７８号、第６１／４０８，４７２号に見られ、これらはすべてこの参照により本明細書に組み込まれる。また、Ｘ線窓に関連する情報は、「Ｔｒｉａｌ  ｕｓｅ  ｏｆ  ｃａｒｂｏｎ−ｆｉｂｅｒ−ｒｅｉｎｆｏｒｃｅｄ  ｐｌａｓｔｉｃ  ａｓ  ａ  ｎｏｎ−Ｂｒａｇｇ  ｗｉｎｄｏｗ  ｍ
ａｔｅｒｉａｌ  ｏｆ  ｘ−ｒａｙ  ｔｒａｎｓｍｉｓｓｉｏｎ」（Ｘ線を透過させる非ブラッグ窓材料としての炭素繊維強化プラスチックの試用）（Ｎａｋａｊｉｍａら、Ｒｅｖ．Ｓｃｉ．Ｉｎｓｔｒｕｍ  ６０（７）、ｐｐ．２４３２〜２４３５、１９８９年７月）にも見られる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第１２７６７０６号明細書
（特許文献２）  米国特許第１８８１４４８号明細書
（特許文献３）  米国特許第１９４６２８８号明細書
（特許文献４）  米国特許出願公開第２００１／０８９３３０号明細書
（特許文献５）  米国特許出願公開第２００２／００７５９９９号明細書
（特許文献６）  米国特許出願公開第２００２／００９４０６４号明細書
（特許文献７）  米国特許出願公開第２００３／００９６１０４号明細書
（特許文献８）  米国特許出願公開第２００３／０１１７７７０号明細書
（特許文献９）  米国特許出願公開第２００３／０１２２１１１号明細書
（特許文献１０）  米国特許出願公開第２００３／０１５２７００号明細書
（特許文献１１）  米国特許出願公開第２００４／００７６２６０号明細書
（特許文献１２）  米国特許出願公開第２００４／０１３１８３５号明細書
（特許文献１３）  米国特許出願公開第２００５／００１８８１７号明細書
（特許文献１４）  米国特許出願公開第２００５／０１４１６６９号明細書
（特許文献１５）  米国特許出願公開第２００５／０２０７５３７号明細書
（特許文献１６）  米国特許出願公開第２００６／００９８７７８号明細書
（特許文献１７）  米国特許出願公開第２００６／０２３３３０７号明細書
（特許文献１８）  米国特許出願公開第２００６／０２６９０４８号明細書
（特許文献１９）  米国特許出願公開第２００７／００２５５１６号明細書
（特許文献２０）  米国特許出願公開第２００７／００８７４３６号明細書
（特許文献２１）  米国特許出願公開第２００７／０１１１６１７号明細書
（特許文献２２）  米国特許出願公開第２００７／０１３３９２１号明細書
（特許文献２３）  米国特許出願公開第２００７／０１６５７８０号明細書
（特許文献２４）  米国特許出願公開第２００７／０１８３５７６号明細書
（特許文献２５）  米国特許出願公開第２００８／０１９９３９９号明細書
（特許文献２６）  米国特許出願公開第２００８／０２９６４７９号明細書
（特許文献２７）  米国特許出願公開第２００８／０２９６５１８号明細書
（特許文献２８）  米国特許出願公開第２００８／０３１７９８２号明細書
（特許文献２９）  米国特許出願公開第２００９／００８６９２３号明細書
（特許文献３０）  米国特許出願公開第２０１０／００９６５９５号明細書
（特許文献３１）  米国特許出願公開第２０１０／０１２６６６０号明細書
（特許文献３２）  米国特許出願公開第２０１０／０１４０４９７号明細書
（特許文献３３）  米国特許出願公開第２０１０／０２３９８２８号明細書
（特許文献３４）  米国特許出願公開第２０１０／０２４３８９５号明細書
（特許文献３５）  米国特許出願公開第２０１０／０２４８３４３号明細書
（特許文献３６）  米国特許出願公開第２０１０／０２８５２７１号明細書
（特許文献３７）  米国特許出願公開第２０１０／０３２３４１９号明細書
（特許文献３８）  米国特許出願公開第２０１１／００１７９２１号明細書
（特許文献３９）  米国特許出願公開第２０１１／００３１５６６号明細書
（特許文献４０）  米国特許出願公開第２０１１／０１２１１７９号明細書
（特許文献４１）  米国特許出願公開第２０１２／０００３４４８号明細書
（特許文献４２）  米国特許出願公開第２０１２／００２５１１０号明細書
（特許文献４３）  米国特許出願公開第２０１２／００８７４７６号明細書
（特許文献４４）  米国特許出願公開第２０１２／０２１３３３６号明細書
（特許文献４５）  米国特許出願公開第２０１３／００５１５３５号明細書
（特許文献４６）  米国特許出願公開第２０１３／００６４３５５号明細書
（特許文献４７）  米国特許出願公開第２０１３／００７７７６１号明細書
（特許文献４８）  米国特許出願公開第２０１３／００８９１８４号明細書
（特許文献４９）  米国特許出願公開第２０１３／００９４６２９号明細書
（特許文献５０）  米国特許出願公開第２０１３／０３１５３８０号明細書
（特許文献５１）  米国特許出願公開第２０１４／０１４０４８７号明細書
（特許文献５２）  米国特許出願公開第２０１５／００１６５９３号明細書
（特許文献５３）  米国特許第２２９１９４８号明細書
（特許文献５４）  米国特許第２３１６２１４号明細書
（特許文献５５）  米国特許第２３２９３１８号明細書
（特許文献５６）  米国特許第２３４０３６３号明細書
（特許文献５７）  米国特許第２５０２０７０号明細書
（特許文献５８）  米国特許第２６６３８１２号明細書
（特許文献５９）  米国特許第２６８３２２３号明細書
（特許文献６０）  米国特許第２９５２７９０号明細書
（特許文献６１）  米国特許第３３５８３６８号明細書
（特許文献６２）  米国特許第３３９７３３７号明細書
（特許文献６３）  米国特許第３６６５２３６号明細書
（特許文献６４）  米国特許第３６７９９２７号明細書
（特許文献６５）  米国特許第３６９１４１７号明細書
（特許文献６６）  米国特許第３７４１７９７号明細書
（特許文献６７）  米国特許第３７５１７０１号明細書
（特許文献６８）  米国特許第３８０１８４７号明細書
（特許文献６９）  米国特許第３８２８１９０号明細書
（特許文献７０）  米国特許第３８７３８２４号明細書
（特許文献７１）  米国特許第３８８２３３９号明細書
（特許文献７２）  米国特許第３９６２５８３号明細書
（特許文献７３）  米国特許第３９７０８８４号明細書
（特許文献７４）  米国特許第４００７３７５号明細書
（特許文献７５）  米国特許第４０７５５２６号明細書
（特許文献７６）  米国特許第４１２６７８８号明細書
（特許文献７７）  米国特許第４１６０３１１号明細書
（特許文献７８）  米国特許第４１６３９００号明細書
（特許文献７９）  米国特許第４１７８５０９号明細書
（特許文献８０）  米国特許第４１８４０９７号明細書
（特許文献８１）  米国特許第４２５０１２７号明細書
（特許文献８２）  米国特許第４３６８５３８号明細書
（特許文献８３）  米国特許第４３９３１２７号明細書
（特許文献８４）  米国特許第４４４３２９３号明細書
（特許文献８５）  米国特許第４４６３２５７号明細書
（特許文献８６）  米国特許第４４６３３３８号明細書
（特許文献８７）  米国特許第４５２１９０２号明細書
（特許文献８８）  米国特許第４５３２１５０号明細書
（特許文献８９）  米国特許第４５７３１８６号明細書
（特許文献９０）  米国特許第４５７６６７９号明細書
（特許文献９１）  米国特許第４５８４０５６号明細書
（特許文献９２）  米国特許第４５９１７５６号明細書
（特許文献９３）  米国特許第４６０８３２６号明細書
（特許文献９４）  米国特許第４６４５９７７号明細書
（特許文献９５）  米国特許第４６７５５２５号明細書
（特許文献９６）  米国特許第４６７９２１９号明細書
（特許文献９７）  米国特許第４６８８２４１号明細書
（特許文献９８）  米国特許第４６９６９９４号明細書
（特許文献９９）  米国特許第４７０５５４０号明細書
（特許文献１００）  米国特許第４７７７６４２号明細書
（特許文献１０１）  米国特許第４７９７９０７号明細書
（特許文献１０２）  米国特許第４８１８８０６号明細書
（特許文献１０３）  米国特許第４８１９２６０号明細書
（特許文献１０４）  米国特許第４８３７０６８号明細書
（特許文献１０５）  米国特許第４８６２４９０号明細書
（特許文献１０６）  米国特許第４８７０６７１号明細書
（特許文献１０７）  米国特許第４８７６３３０号明細書
（特許文献１０８）  米国特許第４８７８８６６号明細書
（特許文献１０９）  米国特許第４８８５０５５号明細書
（特許文献１１０）  米国特許第４８９１８３１号明細書
（特許文献１１１）  米国特許第４９３３５５７号明細書
（特許文献１１２）  米国特許第４９３９７６３号明細書
（特許文献１１３）  米国特許第４９５７７７３号明細書
（特許文献１１４）  米国特許第４９６０４８６号明細書
（特許文献１１５）  米国特許第４９６９１７３号明細書
（特許文献１１６）  米国特許第４９７９１９８号明細書
（特許文献１１７）  米国特許第４９７９１９９号明細書
（特許文献１１８）  米国特許第５０１０５６２号明細書
（特許文献１１９）  米国特許第５０５５４２１号明細書
（特許文献１２０）  米国特許第５０６３３２４号明細書
（特許文献１２１）  米国特許第５０６６３００号明細書
（特許文献１２２）  米国特許第５０７７７７１号明細書
（特許文献１２３）  米国特許第５０７７７７７号明細書
（特許文献１２４）  米国特許第５０９００４６号明細書
（特許文献１２５）  米国特許第５１０５４５６号明細書
（特許文献１２６）  米国特許第５１１７８２９号明細書
（特許文献１２７）  米国特許第５１５３９００号明細書
（特許文献１２８）  米国特許第５１６１１７９号明細書
（特許文献１２９）  米国特許第５１７３６１２号明細書
（特許文献１３０）  米国特許第５１９６２８３号明細書
（特許文献１３１）  米国特許第５２０６５３４号明細書
（特許文献１３２）  米国特許第５２１７８１７号明細書
（特許文献１３３）  米国特許第５２２６０６７号明細書
（特許文献１３４）  米国特許第５２５８０９１号明細書
（特許文献１３５）  米国特許第５２６７２９４号明細書
（特許文献１３６）  米国特許第５３４３１１２号明細書
（特許文献１３７）  米国特許第５３９１９５８号明細書
（特許文献１３８）  米国特許第５３９２０４２号明細書
（特許文献１３９）  米国特許第５４００３８５号明細書
（特許文献１４０）  米国特許第５４２２９２６号明細書
（特許文献１４１）  米国特許第５４２８６５８号明細書
（特許文献１４２）  米国特許第５４３２００３号明細書
（特許文献１４３）  米国特許第５４５７０４１号明細書
（特許文献１４４）  米国特許第５４６５０２３号明細書
（特許文献１４５）  米国特許第５４６９４２９号明細書
（特許文献１４６）  米国特許第５４６９４９０号明細書
（特許文献１４７）  米国特許第５４７８２６６号明細書
（特許文献１４８）  米国特許第５５２４１３３号明細書
（特許文献１４９）  米国特許第５５６１３４２号明細書
（特許文献１５０）  米国特許第５５６７９２９号明細書
（特許文献１５１）  米国特許第５５７１６１６号明細書
（特許文献１５２）  米国特許第５５７８３６０号明細書
（特許文献１５３）  米国特許第５６０７７２３号明細書
（特許文献１５４）  米国特許第５６１６１７９号明細書
（特許文献１５５）  米国特許第５６２１７８０号明細書
（特許文献１５６）  米国特許第５６２７８７１号明細書
（特許文献１５７）  米国特許第５６３１９４３号明細書
（特許文献１５８）  米国特許第５６８０４３３号明細書
（特許文献１５９）  米国特許第５６８２４１２号明細書
（特許文献１６０）  米国特許第５６９６８０８号明細書
（特許文献１６１）  米国特許第５７２９５８３号明細書
（特許文献１６２）  米国特許第５７４０２２８号明細書
（特許文献１６３）  米国特許第５７７４５２２号明細書
（特許文献１６４）  米国特許第５８１２６３２号明細書
（特許文献１６５）  米国特許第５８３５５６１号明細書
（特許文献１６６）  米国特許第５８７００５１号明細書
（特許文献１６７）  米国特許第５８９８７５４号明細書
（特許文献１６８）  米国特許第５９０７５９５号明細書
（特許文献１６９）  米国特許第６００２２０２号明細書
（特許文献１７０）  米国特許第６００５９１８号明細書
（特許文献１７１）  米国特許第６０４４１３０号明細書
（特許文献１７２）  米国特許第６０６２９３１号明細書
（特許文献１７３）  米国特許第６０６９２７８号明細書
（特許文献１７４）  米国特許第６０７５８３９号明細書
（特許文献１７５）  米国特許第６０９７７９０号明細書
（特許文献１７６）  米国特許第６１３３４０１号明細書
（特許文献１７７）  米国特許第６１３４３００号明細書
（特許文献１７８）  米国特許第６１８４３３３号明細書
（特許文献１７９）  米国特許第６２０５２００号明細書
（特許文献１８０）  米国特許第６２８２２６３号明細書
（特許文献１８１）  米国特許第６２８８２０９号明細書
（特許文献１８２）  米国特許第６３０７００８号明細書
（特許文献１８３）  米国特許第６３２００１９号明細書
（特許文献１８４）  米国特許第６３５１５２０号明細書
（特許文献１８５）  米国特許第６３８５２９４号明細書
（特許文献１８６）  米国特許第６４３８２０７号明細書
（特許文献１８７）  米国特許第６４７７２３５号明細書
（特許文献１８８）  米国特許第６４８７２７２号明細書
（特許文献１８９）  米国特許第６４８７２７３号明細書
（特許文献１９０）  米国特許第６４９４６１８号明細書
（特許文献１９１）  米国特許第６５４６０７７号明細書
（特許文献１９２）  米国特許第６５６７５００号明細書
（特許文献１９３）  米国特許第６６４６３６６号明細書
（特許文献１９４）  米国特許第６６５８０８５号明細書
（特許文献１９５）  米国特許第６６６１８７６号明細書
（特許文献１９６）  米国特許第６７３８４８４号明細書
（特許文献１９７）  米国特許第６７４０８７４号明細書
（特許文献１９８）  米国特許第６７７８６３３号明細書
（特許文献１９９）  米国特許第６７９９０７５号明細書
（特許文献２００）  米国特許第６８０３５７０号明細書
（特許文献２０１）  米国特許第６８０３５７１号明細書
（特許文献２０２）  米国特許第６８１６５７３号明細書
（特許文献２０３）  米国特許第６８１９７４１号明細書
（特許文献２０４）  米国特許第６８３８２９７号明細書
（特許文献２０５）  米国特許第６８５２３６５号明細書
（特許文献２０６）  米国特許第６８７６７２４号明細書
（特許文献２０７）  米国特許第６９５６７０６号明細書
（特許文献２０８）  米国特許第６９６２７８２号明細書
（特許文献２０９）  米国特許第６９７６９５３号明細書
（特許文献２１０）  米国特許第６９８７８３５号明細書
（特許文献２１１）  米国特許第７０３５３７９号明細書
（特許文献２１２）  米国特許第７０４６７６７号明細書
（特許文献２１３）  米国特許第７０８５３５４号明細書
（特許文献２１４）  米国特許第７１３０３８０号明細書
（特許文献２１５）  米国特許第７１３０３８１号明細書
（特許文献２１６）  米国特許第７１６６９１０号明細書
（特許文献２１７）  米国特許第７２０３２８３号明細書
（特許文献２１８）  米国特許第７２０６３８１号明細書
（特許文献２１９）  米国特許第７２１５７４１号明細書
（特許文献２２０）  米国特許第７２２４７６９号明細書
（特許文献２２１）  米国特許第７２３３６４７号明細書
（特許文献２２２）  米国特許第７２８６６４２号明細書
（特許文献２２３）  米国特許第７３０５０６６号明細書
（特許文献２２４）  米国特許第７３５８５９３号明細書
（特許文献２２５）  米国特許第７３７８１５７号明細書
（特許文献２２６）  米国特許第７３８２８６２号明細書
（特許文献２２７）  米国特許第７４２８０５４号明細書
（特許文献２２８）  米国特許第７４２８２９８号明細書
（特許文献２２９）  米国特許第７４４８８０１号明細書
（特許文献２３０）  米国特許第７４４８８０２号明細書
（特許文献２３１）  米国特許第７４８６７７４号明細書
（特許文献２３２）  米国特許第７５２６０６８号明細書
（特許文献２３３）  米国特許第７５２９３４５号明細書
（特許文献２３４）  米国特許第７６１８９０６号明細書
（特許文献２３５）  米国特許第７６３４０５２号明細書
（特許文献２３６）  米国特許第７６４９９８０号明細書
（特許文献２３７）  米国特許第７６５７００２号明細書
（特許文献２３８）  米国特許第７６８４５４５号明細書
（特許文献２３９）  米国特許第７６９３２６５号明細書
（特許文献２４０）  米国特許第７７０９８２０号明細書
（特許文献２４１）  米国特許第７７３７４２４号明細書
（特許文献２４２）  米国特許第７７５６２５１号明細書
（特許文献２４３）  米国特許第７９８３３９４号明細書
（特許文献２４４）  米国特許第８４９８３８１号明細書
（特許文献２４５）  米国特許第８４９８３８１号明細書
（特許文献２４６）  米国特許第８９２９５１５号明細書
（特許文献２４７）  米国再発行特許発明第３４４２１号明細書
（特許文献２４８）  米国再発行特許発明第３５３８３号明細書
（特許文献２４９）  独国特許出願公開第１０３０９３６号明細書
（特許文献２５０）  独国特許出願公開１９８１８０５７号明細書
（特許文献２５１）  独国特許出願公開４４３０６２３号明細書
（特許文献２５２）  欧州特許出願公開第０２９７８０８号明細書
（特許文献２５３）  欧州特許出願公開第０３３０４５６号明細書
（特許文献２５４）  欧州特許出願公開第０４００６５５号明細書
（特許文献２５５）  欧州特許出願公開第０６７６７７２号明細書
（特許文献２５６）  英国特許出願公開第１２５２２９０号明細書
（特許文献２５７）  特開平０６―１１９８９３号公報
（特許文献２５８）  特開２００３―００７２３７号公報
（特許文献２５９）  特開昭５７―０８２９５４号公報
（特許文献２６０）  特開平０５―０６６３００号公報
（特許文献２６１）  特開２００３−０８８３８３号公報
（特許文献２６２）  特開２００３−２１１３９６号公報
（特許文献２６３）  特表２００３−５１０２３６号公報
（特許文献２６４）  特開２００６−２９７５４９号公報
（特許文献２６５）  特開平３―１７０６７３号公報
（特許文献２６６）  特開平４―１７１７００号公報
（特許文献２６７）  特開平５―１３５７２２号公報
（特許文献２６８）  特開平６―２８９１４５号公報
（特許文献２６９）  特開平６―３４３４７８号公報
（特許文献２７０）  特開平８―３１５７８３号公報
（特許文献２７１）  韓国公開特許第１０−２００５−０１０７０９４号公報
（特許文献２７２）  国際公開第００／０９４４３号
（特許文献２７３）  国際公開第００／１７１０２号
（特許文献２７４）  国際公開第０３／０７６９５１号
（特許文献２７５）  国際公開第２００８／０５２００２号
（特許文献２７６）  国際公開第２００９／００９６１０号
（特許文献２７７）  国際公開第２００９／０４５９１５号
（特許文献２７８）  国際公開第２００９／０８５３５１号
（特許文献２７９）  国際公開第２０１０／１０７６００号
（特許文献２８０）  国際公開第９９／６５８２１号
（特許文献２８１）  特開昭６０７４２５３号公報
（特許文献２８２）  特開昭６０８９０５４号公報
（特許文献２８３）  特開２００１−１７９８４４号公報
（非特許文献）
（非特許文献１）  ＢＡＲＫＡＮ  ｅｔ  ａｌ．，"Ｉｍｐｒｏｖｅｄ  ｗｉｎｄｏｗ  ｆｏｒ  ｌｏｗ−ｅｎｅｒｇｙ  ｘ−ｒａｙ  ｔｒａｎｓｍｉｓｓｉｏｎ  ａ  Ｈｙｂｒｉｄ  ｄｅｓｉｇｎ  ｆｏｒ  ｅｎｅｒｇｙｄｉｓｐｅｒｓｉｖｅ  ｍｉｃｒｏａｎａｌｙｓｉｓ，"Ｓｅｐｔｅｍｂｅｒ  １９９５，２  ｐａｇｅｓ，Ｅｃｔｒｏｓｃｏｐｙ  １０（７）．
（非特許文献２）  Ｂｌａｎｑｕａｒｔ  ｅｔ  ａｌ．；"ＸＰＡＤ，ａ  Ｎｅｗ  Ｒｅａｄ−ｏｕｔ  Ｐｉｘｅｌ  Ｃｈｉｐ  ｆｏｒ  Ｘ−ｒａｙ  Ｃｏｕｎｔｉｎｇ"；ＩＥＥＥ  Ｘｐｌｏｒｅ；Ｍａｒｃｈ  ２５，２００９
（非特許文献３）  Ｃｏｍｆｏｒｔ，Ｊ．Ｈ．，"Ｐｌａｓｍａ−ｅｎｈａｎｃｅｄ  ｃｈｅｍｉｃａｌ  ｖａｐｏｒ  ｄｅｐｏｓｉｔｉｏｎ  ｏｆ  ｉｎ  ｓｉｔｕ  ｄｏｐｅｄ  ｅｐｉｔａｘｉａｌ  ｓｉｌｉｃｏｎ  ａｔ  ｌｏｗ  ｔｅｍｐｅｒａｔｕｒｅｓ，"Ｊ．Ａｐｐｌ．Ｐｈｙｓ．６５，１０６７  （１９８９）．
（非特許文献４）  Ｄａｓ，Ｄ．Ｋ．，ａｎｄ  Ｋ．Ｋｕｍａｒ，"Ｃｈｅｍｉｃａｌ  ｖａｐｏｒ  ｄｅｐｏｓｉｔｉｏｎ  ｏｆ  ｂｏｒｏｎ  ｏｎ  ａ  ｂｅｒｙｌｌｉｕｍ  ｓｕｒｆａｃｅ，"Ｔｈｉｎ  Ｓｏｌｉｄ  Ｆｉｌｍｓ，８３（１），５３−６０．
（非特許文献５）  Ｄａｓ，Ｋ．，ａｎｄ  Ｋｕｍａｒ，Ｋ．，"Ｔｒｉｂｏｌｏｇｉｃａｌ  ｂｅｈａｖｉｏｒ  ｏｆ  ｉｍｐｒｏｖｅｄ  ｃｈｅｍｉｃａｌｌｙ  ｖａｐｏｒ−ｄｅｐｏｓｉｔｅｄ  ｂｏｒｏｎ  ｏｎ  ｂｅｒｙｌｌｉｕｍ，"Ｔｈｉｎ  Ｓｏｌｉｄ  Ｆｉｌｍｓ，１０８（２），１８１−１８８．
（非特許文献６）  ＧＲＹＢＯＳ  ｅｔ  ａｌ．；  "ＤＥＤＩＸ  -  Ｄｅｖｅｌｏｐｍｅｎｔ  ｏｆ  Ｆｕｌｌｙ  Ｉｎｔｅｇｒａｔｅｄ  Ｍｕｌｔｉｃｈａｎｎｅｌ  ＡＳＩＣ  ｆｏｒ  Ｈｉｇｈ  Ｃｏｕｎｔ  Ｒａｔｅ  Ｄｉｇｉｔａｌ  Ｘ−ｒａｙ  Ｉｍａｇｉｎｉｎｇ  ｓｙｓｔｅｍｓ"；  ＩＥＥＥ  ２００６；  Ｎｕｃｌｅａｒ  Ｓｃｉｅｎｃｅ  Ｓｙｍｐｏｓｉｕｍ  Ｃｏｎｆｅｒｅｎｃｅ  Ｒｅｃｏｒｄ
（非特許文献７）  Ｇｒｙｂｏｓ，"Ｐｏｌｅ−Ｚｅｒｏ  Ｃａｎｃｅｌｌａｔｉｏｎｓ  Ｃｉｒｃｕｉｔ  Ｗｉｔｈ  Ｐｕｌｓｅ  Ｐｉｌｅ−Ｕｐ  Ｔｒａｃｋｉｎｇ  Ｓｙｓｔｅｍ  ｆｏｒ  Ｌｏｗ  Ｎｏｉｓｅ  Ｃｈａｒｇｅ−Ｓｅｎｓｉｔｉｖｅ  Ａｍｐｌｉｆｉｅｒｓ"；  Ｍａｒｃｈ  ２５，２００９；  ｆｒｏｍ  ＩＥＥＥ  Ｘｐｌｏｒｅ．
（非特許文献８）  Ｇｒｙｂｏｓ，ｅｔ  ａｌ"Ｍｅａｓｕｒｅｍｅｎｔｓ  ｏｆ  Ｍａｔｃｈｉｎｇ  ａｎｄ  Ｈｉｇｈ  Ｃｏｕｎｔ  Ｒａｔｅ  Ｐｅｒｆｏｒｍａｎｃｅ  ｏｆ  Ｍｕｌｔｉｃｈａｎｎｅｌ  ＡＳＩＣ  ｆｏｒ  Ｄｉｇｉｔａｌ  Ｘ−Ｒａｙ  Ｉｍａｇｉｎｇ  Ｓｙｓｔｅｍｓ"；  ＩＥＥＥ  Ｔｒａｎｓａｃｔｉｏｎｓ  ｏｎ  Ｎｕｃｌｅａｒ  Ｓｃｉｅｎｃｅ，Ｖｏｌ  ５４，Ｎｏ．４，２００７
（非特許文献９）  Ｈａｎｉｇｏｆｓｋｙ，Ｊ．Ａ．，Ｋ．Ｌ．Ｍｏｒｅ，ａｎｄ  Ｗ．Ｊ．Ｌａｃｋｅｙ，"Ｃｏｍｐｏｓｉｔｉｏｎ  ａｎｄ  ｍｉｃｒｏｓｔｒｕｃｔｕｒｅ  ｏｆ  ｃｈｅｍｉｃａｌｌｙ  ｖａｐｏｒ−ｄｅｐｏｓｉｔｅｄ  ｂｏｒｏｎ  ｎｉｔｒｉｄｅ，ａｌｕｍｉｎｕｍ  ｎｉｔｒｉｄｅ，ａｎｄ  ｂｏｒｏｎ  ｎｉｔｒｉｄｅ  ＋  ａｌｕｍｉｎｕｍ  ｎｉｔｒｉｄｅ  ｃｏｍｐｏｓｉｔｅｓ，"Ｊ．Ａｍｅｒ．Ｃｅｒａｍｉｃ  Ｓｏｃ．７４，３０１（１９９１）．
（非特許文献１０）  Ｈｅｘｃｅｌ  Ｃｏｒｐｏｒａｔｉｏｎ；"Ｐｒｅｐｒｅｇ  Ｔｅｃｈｎｏｌｏｇｙ"ｂｒｏｃｈｕｒｅ；  ｈｔｔｐ：／／ｗｗｗ．ｈｅｘｃｅｌ．ｃｏｍ／Ｒｅｓｏ２８８２ｕｒｃｅｓ／ＤａｔａＳｈｅｅｔｓ／Ｂｒｏｃｈｕｒｅ−Ｄａｔａ−Ｓｈｅｅｔｓ／Ｐｒｅｐｒｅｇ＿Ｔｅｃｈｎｏｌｏｇｙ．ｐｄｆ
（非特許文献１１）  ｈｔｔｐ：／／ｗｗｗ．ｏｒａｕ．ｏｒｇ／ｐｔｐ／ｃｏｌｌｅｃｔｉｏｎ／ｘｒａｙｔｕｂｅｓｃｏｌｌｉｄｇｅ／ＭａｃｈｅｌｅｔｔＣＷ２５０．ｈｔｍ，１９９９，２  ｐｇｓ
（非特許文献１２）  Ｋｏｍａｔｓｕ，Ｓ．，ａｎｄ  Ｙ．Ｍｏｒｉｙｏｓｈｉ，"Ｉｎｆｌｕｅｎｃｅ  ｏｆ  ａｔｏｍｉｃ  ｈｙｄｒｏｇｅｎ  ｏｎ  ｔｈｅ  ｇｒｏｗｔｈ  ｒｅａｃｔｉｏｎｓ  ｏｆ  ａｍｏｒｐｈｏｕｓ  ｂｏｒｏｎ  ｆｉｌｍｓ  ｉｎ  ａ  ｌｏｗ−ｐｒｅｓｓｕｒｅ  Ｂ．ｓｕｂ．２  Ｈ．ｓｕｂ．６  ＋Ｈｅ＋Ｈ．ｓｕｂ．２  ｐｌａｓｍａ"，Ｊ．Ａｐｐｌ．Ｐｈｙｓ．６４，１８７８（１９８８）
（非特許文献１３）  Ｋｏｍａｔｓｕ，Ｓ．，ａｎｄ  Ｙ．Ｍｏｒｉｙｏｓｈｉ，"Ｔｒａｎｓｉｔｉｏｎ  ｆｒｏｍ  ａｍｏｒｐｈｏｕｓ  ｔｏ  ｃｒｙｓｔａｌ  ｇｒｏｗｔｈ  ｏｆ  ｂｏｒｏｎ  ｆｉｌｍｓ  ｉｎ  ｐｌａｓｍａ−ｅｎｈａｎｃｅｄ  ｃｈｅｍｉｃａｌ  ｖａｐｏｒ  ｄｅｐｏｓｉｔｉｏｎ  ｗｉｔｈ  Ｂ．ｓｕｂ．２  Ｈ．ｓｕｂ．６  ＋Ｈｅ，"Ｊ．Ａｐｐｌ．Ｐｈｙｓ．，６６，４６６（１９８９）．
（非特許文献１４）  Ｋｏｍａｔｓｕ，Ｓ．，ａｎｄ  Ｙ．Ｍｏｒｉｙｏｓｈｉ，"Ｔｒａｎｓｉｔｉｏｎ  ｆｒｏｍ  ｔｈｅｒｍａｌ−ｔｏ  ｅｌｅｃｔｒｏｎ−ｉｍｐａｃｔ  ｄｅｃｏｍｐｏｓｉｔｉｏｎ  ｏｆ  ｄｉｂｏｒａｎｅ  ｉｎ  ｐｌａｓｍａ−ｅｎｈａｎｃｅｄ  ｃｈｅｍｉｃａｌ  ｖａｐｏｒ  ｄｅｐｏｓｉｔｉｏｎ  ｏｆ  ｂｏｒｏｎ  ｆｉｌｍｓ  ｆｒｏｍ  Ｂ．ｓｕｂ．２  Ｈ．ｓｕｂ．６  ＋Ｈｅ，"Ｊ．Ａｐｐｌ．Ｐｈｙｓ．６６，１１８０（１９８９）
（非特許文献１５）  Ｌｅｅ，Ｗ．，Ｗ．Ｊ．Ｌａｃｋｅｙ，ａｎｄ  Ｐ．Ｋ．Ａｇｒａｗａｌ，"Ｋｉｎｅｔｉｃ  ａｎａｌｙｓｉｓ  ｏｆ  ｃｈｅｍｉｃａｌ  ｖａｐｏｒ  ｄｅｐｏｓｉｔｉｏｎ  ｏｆ  ｂｏｒｏｎ  ｎｉｔｒｉｄｅ，"Ｊ．Ａｍｅｒ．Ｃｅｒａｍｉｃ  Ｓｏｃ．７４，２６４２（１９９１）．
（非特許文献１６）  Ｍａｙａ，Ｌ．，ａｎｄ  Ｌ．Ａ．Ｈａｒｒｉｓ，"Ｐｙｒｏｌｙｔｉｃ  ｄｅｐｏｓｉｔｉｏｎ  ｏｆ  ｃａｒｂｏｎ  ｆｉｌｍｓ  ｃｏｎｔａｉｎｉｎｇ  ｎｉｔｒｏｇｅｎ  ａｎｄ／ｏｒ  ｂｏｒｏｎ，"Ｊ．Ａｍｅｒ．Ｃｅｒａｍｉｃ  Ｓｏｃ．７３，１９１２（１９９０）．
（非特許文献１７）  Ｍｉｃｈａｅｌｉｄｉｓ，Ｍ．，ａｎｄ  Ｒ．Ｐｏｌｌａｒｄ，"Ａｎａｌｙｓｉｓ  ｏｆ  ｃｈｅｍｉｃａｌ  ｖａｐｏｒ  ｄｅｐｏｓｉｔｉｏｎ  ｏｆ  ｂｏｒｏｎ，"Ｊ．Ｅｌｅｃｔｒｏｃｈｅｍ．Ｓｏｃ．１３２，１７５７（１９８５）．
（非特許文献１８）  Ｍｉｃｒｏ  Ｘ−ｒａｙ  Ｔｕｂｅ  Ｏｐｅｒａｔｉｏｎ  Ｍａｎｕａｌ，Ｘ−ｒａｙ  ａｎｄ  Ｓｐｅｃｉａｌｔｙ  Ｉｎｓｔｒｕｍｅｎｔｓ  Ｉｎｃ．，１９９６，５  ｐａｇｅｓ
（非特許文献１９）  Ｍｏｏｒｅ，Ａ．Ｗ．，Ｓ．Ｌ．Ｓｔｒｏｎｇ，ａｎｄ  Ｇ．Ｌ．Ｄｏｌｌ，"Ｐｒｏｐｅｒｔｉｅｓ  ａｎｄ  ｃｈａｒａｃｔｅｒｉｚａｔｉｏｎ  ｏｆ  ｃｏｄｅｐｏｓｉｔｅｄ  ｂｏｒｏｎ  ｎｉｔｒｉｄｅ  ａｎｄ  ｃａｒｂｏｎ  ｍａｔｅｒｉａｌｓ，"Ｊ．Ａｐｐｌ．Ｐｈｙｓ．６５，５１０９（１９８９）．
（非特許文献２０）  ＮＡＫＡＪＩＭＡ  ｅｔ  ａｌ；  Ｔｒｉａｌ  Ｕｓｅ  ｏｆ  Ｃａｒｂｏｎ−Ｆｉｂｅｒ−Ｒｅｉｎｆｏｒｃｅｄ  Ｐｌａｓｔｉｃ  ａｓ  ａ  Ｎｏｎ−Ｂｒａｇｇ  Ｗｉｎｄｏｗ  Ｍａｔｅｒｉａｌ  ｏｆ  Ｘ−Ｒａｙ  Ｔｒａｎｓｍｉｓｓｉｏｎ；  Ｒｅｖ．Ｓｃｉ．Ｉｎｓｔｒｕｍ．；  Ｊｕｌｙ  １９８９；  ｐａｇｅｓ  ２４３２−２４３５；  ｖｏｌ．６０，ｎｏ．７
（非特許文献２１）  Ｎａｋａｍｕｒａ，Ｋ．，"Ｐｒｅｐａｒａｔｉｏｎ  ａｎｄ  ｐｒｏｐｅｒｔｉｅｓ  ｏｆ  ａｍｏｒｐｈｏｕｓ  ｂｏｒｏｎ  ｎｉｔｒｉｄｅ  ｆｉｌｍｓ  ｂｙ  ｍｏｌｅｃｕｌａｒ  ｆｌｏｗ  ｃｈｅｍｉｃａｌ  ｖａｐｏｒ  ｄｅｐｏｓｉｔｉｏｎ，"Ｊ．Ｅｌｅｃｔｒｏｃｈｅｍ．Ｓｏｃ．１３２，１７５７（１９８５）．
（非特許文献２２）  ＮＥＹＣＯ，"ＳＥＭ  &  ＴＥＭ：  Ｇｒｉｄｓ"；  ｃａｔａｌｏｇ；  ｈｔｔｐ：／／ｗｗｗ．ｎｅｙｃｏ．ｆｒ／ｐｄｆ／Ｇｒｉｄｓ．ｐｄｆ＃ｐａｇｅ＝１
（非特許文献２３）  ＰＡＮＡＹＩＯＴＡＴＯＳ，ｅｔ  ａｌ．，"Ｍｅｃｈａｎｉｃａｌ  ｐｅｒｆｏｒｍａｎｃｅ  ａｎｄ  ｇｒｏｗｔｈ  ｃｈａｒａｃｔｅｒｉｓｔｉｃｓ  ｏｆ  ｂｏｒｏｎ  ｎｉｔｒｉｄｅ  ｆｉｌｍｓ  ｗｉｔｈ  ｒｅｓｐｅｃｔ  ｔｏ  ｔｈｅｉｒ  ｏｐｔｉｃａｌ，ｃｏｍｐｏｓｉｔｉｏｎａｌ  ｐｒｏｐｅｒｔｉｅｓ  ａｎｄ  ｄｅｎｓｉｔｙ，"Ｓｕｒｆａｃｅ  ａｎｄ  Ｃｏａｔｉｎｇｓ  Ｔｅｃｈｎｏｌｏｇｙ，１５１−１５２（２００２）１５５−１５９．
（非特許文献２４）  Ｐｅｒｋｉｎｓ，Ｆ．Ｋ．，Ｒ．Ａ．Ｒｏｓｅｎｂｅｒｇ，ａｎｄ  Ｌ．Ｓｕｎｗｏｏ，"Ｓｙｎｃｈｒｏｔｒｏｎｒａｄｉａｔｉｏｎ  ｄｅｐｏｓｉｔｉｏｎ  ｏｆ  ｂｏｒｏｎ  ａｎｄ  ｂｏｒｏｎ  ｃａｒｂｉｄｅ  ｆｉｌｍｓ  ｆｒｏｍ  ｂｏｒａｎｅｓ  ａｎｄ  ｃａｒｂｏｒａｎｅｓ：  ｄｅｃａｂｏｒａｎｅ，"Ｊ．Ａｐｐｌ．Ｐｈｙｓ．６９，４１０３  （１９９１）．
（非特許文献２５）  ＰＯＷＥＬＬ  ｅｔ  ａｌ．，"Ｍｅｔａｌｉｚｅｄ  ｐｏｌｙｉｍｉｄｅ  ｆｉｌｔｅｒｓ  ｆｏｒ  ｘ−ｒａｙ  ａｓｔｒｏｎｏｍｙ  ａｎｄ  ｏｔｈｅｒ  ａｐｐｌｉｃａｔｉｏｎｓ，"ＳＰＩＥ，ｐａｇｅｓ  ４３２−４４０，Ｖｏｌ．３１１３
（非特許文献２６）  Ｒａｎｋｏｖ．Ａ．"Ａ  Ｎｏｖｅｌ  Ｃｏｒｒｅｌａｔｅｄ  Ｄｏｕｂｌｅ  Ｓａｍｐｌｉｎｇ  Ｐｏｌｙ−Ｓｉ  Ｃｉｒｃｕｉｔ  ｆｏｒ  Ｒｅａｄｏｕｔ  Ｓｙｓｔｅｍ  ｉｎ  Ｌａｒｇｅ  Ａｒｅａ  Ｘ−Ｒａｙ  Ｓｅｎｓｏｒｓ"，２００５
（非特許文献２７）  Ｒｏｃａ  ｉ  Ｃａｂａｒｒｏｃａｓ，Ｐ．，Ｓ．Ｋｕｍａｒ，ａｎｄ  Ｂ．Ｄｒｅｖｉｌｌｏｎ，"Ｉｎ  ｓｉｔｕ  ｓｔｕｄｙ  ｏｆ  ｔｈｅ  ｔｈｅｒｍａｌ  ｄｅｃｏｍｐｏｓｉｔｉｏｎ  ｏｆ  Ｂ．ｓｕｂ．２  Ｈ．ｓｕｂ．６  ｂｙ  ｃｏｍｂｉｎｉｎｇ  ｓｐｅｃｔｒｏｓｃｏｐｉｃ  ｅｌｌｉｐｓｏｍｅｔｒｙ  ａｎｄ  Ｋｅｌｖｉｎ  ｐｒｏｂｅ  ｍｅａｓｕｒｅｍｅｎｔｓ，"Ｊ．Ａｐｐｌ．Ｐｈｙｓ．６６，３２８６（１９８９）．
（非特許文献２８）  ＳＣＨＯＬＺＥ  ｅｔ  ａｌ．，"Ｄｅｔｅｃｔｉｏｎ  ｅｆｆｉｃｉｅｎｃｙ  ｏｆ  ｅｎｅｒｇｙ−ｄｉｓｐｅｒｓｉｖｅ  ｄｅｔｅｃｔｏｒｓ  ｗｉｔｈ  ｌｏｗ−ｅｎｅｒｇｙ  ｗｉｎｄｏｗｓ"ＸＲａｙ  Ｓｐｅｃｔｒｏｍｅｔｒｙ，Ｘ−Ｒａｙ  Ｓｐｅｃｔｒｏｍ，２００５：  ３４：  ４７３−４７６
（非特許文献２９）  Ｓｈｅａｔｈｅｒ，"Ｔｈｅ  ｓｕｐｐｏｒｔ  ｏｆ  ｔｈｉｎ  ｗｉｎｄｏｗｓ  ｆｏｒ  ｘ−ｒａｙ  ｐｒｏｐｏｒｔｉｏｎａｌ  ｃｏｕｎｔｅｒｓ，"Ｊｏｕｒｎａｌ  Ｐｈｙｓ，Ｅ．，Ａｐｒｉｌ  １９７３，ｐｐ．３１９−３２２，Ｖｏｌ．６，Ｎｏ．４
（非特許文献３０）  Ｓｈｉｒａｉ，Ｋ．，Ｓ．−Ｉ．Ｇｏｎｄａ，ａｎｄ  Ｓ．Ｇｏｎｄａ，"Ｃｈａｒａｃｔｅｒｉｚａｔｉｏｎ  ｏｆ  ｈｙｄｒｏｇｅｎａｔｅｄ  ａｍｏｒｐｈｏｕｓ  ｂｏｒｏｎ  ｆｉｌｍｓ  ｐｒｅｐａｒｅｄ  ｂｙ  ｅｌｅｃｔｒｏｎ  ｃｙｃｌｏｔｒｏｎ  ｒｅｓｏｎａｎｃｅ  ｐｌａｓｍａ  ｃｈｅｍｉｃａｌ  ｖａｐｏｒ  ｄｅｐｏｓｉｔｉｏｎ  ｍｅｔｈｏｄ，"Ｊ．Ａｐｐｌ．Ｐｈｙｓ．６７，６２８６（１９９０）．
（非特許文献３１）  Ｔａｍｕｒａ，ｅｔ  ａｌ"Ｄｅｖｅｌｏｐｍｅｎｍｔ  ｏｆ  ＡＳＩＣｓ  ｆｏｒ  ＣｄＴｅ  Ｐｉｘｅｌ  ａｎｄ  Ｌｉｎｅ  Ｓｅｎｓｏｒｓ"，ＩＥＥＥ  Ｔｒａｎｓａｃｔｉｏｎｓ  ｏｎ  Ｎｕｃｌｅａｒ  Ｓｃｉｅｎｃｅ，Ｖｏｌ．５２，Ｎｏ.５，Ｏｃｔｏｂｅｒ  ２００５
（非特許文献３２）  ＴＩＥＮ−ＨＵＩ  ＬＩＮ  ｅｔ  ａｌ．，"Ａｎ  ｉｎｖｅｓｔｉｇａｔｉｏｎ  ｏｎ  ｔｈｅ  ｆｉｌｍｓ  ｕｓｅｄ  ａｓ  ｔｅｈ  ｗｉｎｄｏｗｓ  ｏｆ  ｕｌｔｒａ−ｓｏｆｔ  Ｘ−ｒａｙ  ｃｏｕｎｔｅｒｓ．"Ａｃｔａ  Ｐｈｙｓｉｃａ  Ｓｉｎｉｃａ，Ｖｏｌ．２７，Ｎｏ．３，ｐｇｓ  ２７６−８３，Ｍａｙ  １９７８，ａｂｓｔｒａｃｔ  ｏｎｌｙ．
（非特許文献３３）  Ｖａｎｄｅｎｂｕｌｃｋｅ，Ｌ．Ｇ．，"Ｔｈｅｏｒｅｔｉｃａｌ  ａｎｄ  ｅｘｐｅｒｉｍｅｎｔａｌ  ｓｔｕｄｉｅｓ  ｏｎ  ｔｈｅ  ｃｈｅｍｉｃａｌ  ｖａｐｏｒ  ｄｅｐｏｓｉｔｉｏｎ  ｏｆ  ｂｏｒｏｎ  ｃａｒｂｉｄｅ，"Ｉｎｄｕｓｔ．Ｅｎｇ．Ｃｈｅｍ．Ｐｒｏｄ．Ｒｅｓ．Ｄｅｖ．２４，５６８（１９８５）．
（非特許文献３４）  ＶＩＩＴＡＮＥＮ  ＶＥＬＩ−ＰＥＫＫＡ  ｅｔ  ａｌ．，"Ｃｏｍｐａｒｉｓｏｎ  ｏｆ  Ｕｌｔｒａｔｈｉｎ  Ｘ−Ｒａｙ  Ｗｉｎｄｏｗ  Ｄｅｓｉｇｎｓ，ｐｒｅｓｅｎｔｅｄ  ａｔ  ｔｈｅ  Ｓｏｆｔ  Ｘ−ｒａｙｓ  ｉｎ  ｔｈｅ  ２１ｓｔ  Ｃｅｎｔｕｒｙ  Ｃｏｎｆｅｒｅｎｃｅ  ｈｅｌｄ  ｉｎ  Ｐｒｏｖｏ，Ｕｔａｈ  Ｆｅｂｒｕａｒｙ  １０−１３，１９９３，ｐｇｓ．１８２−１９０
（非特許文献３５）  Ｗａｇｎｅｒ  ｅｔ  ａｌ，"Ｅｆｆｅｃｔｓ  ｏｆ  Ｓｃａｔｔｅｒ  ｉｎ  Ｄｕａｌ−Ｅｎｅｒｇｙ  Ｉｍａｇｉｎｇ：  Ａｎ  Ａｌｔｅｒｎａｔｉｖｅ  Ａｎａｌｙｓｉｓ"；  ＩＥＥＥ；  Ｓｅｐｔｅｍｂｅｒ  １９８９，Ｖｏｌ  ８．Ｎｏ．３
（非特許文献３６）  Ｗｉｎｔｅｒ，Ｊ．，Ｈ．Ｇ．Ｅｓｓｅｒ，ａｎｄ  Ｈ．Ｒｅｉｍｅｒ，"Ｄｉｂｏｒａｎｅ−ｆｒｅｅ  ｂｏｒｏｎｉｚａｔｉｏｎ，"Ｆｕｓｉｏｎ  Ｔｅｃｈｎｏｌ．２０，２２５（１９９１）．
（非特許文献３７）  ＷＵ，ｅｔ  ａｌ．；"Ｍｅｃｈａｎｉｃａｌ  ｐｒｏｐｅｒｔｉｅｓ  ａｎｄ  ｔｈｅｒｍｏ−ｇｒａｖｉｍｅｔｒｉｃ  ａｎａｌｙｓｉｓ  ｏｆ  ＰＢＯ  ｔｈｉｎ  ｆｉｌｍｓ"；Ａｄｖａｎｃｅｄ  Ｍａｔｅｒｉａｌｓ  Ｌａｂｏｒａｔｏｒｙ，Ｉｎｓｔｉｔｕｔｅ  ｏｆ  Ｅｌｅｃｔｒｏ−Ｏｐｔｉｃａｌ  Ｅｎｇｉｎｅｅｒｉｎｇ；  Ａｐｒｉｌ  ３０，２００６
（非特許文献３８）  ｗｗｗ．ｍｏｘｔｅｋ．ｃｏｍ，Ｍｏｘｔｅｋ，ＡＰ３  Ｗｉｎｄｏｗｓ，Ｕｌｔｒａ−ｔｈｉｎ  Ｐｏｌｙｍｅｒ  Ｘ−Ｒａｙ  Ｗｉｎｄｏｗｓ，０９／０６，２  ｐａｇｅｓ
（非特許文献３９）  ｗｗｗ．ｍｏｘｔｅｋ．ｃｏｍ，Ｍｏｘｔｅｋ，ＤｕｒａＢｅｒｙｌｌｉｕｍ  Ｘ−Ｒａｙ  Ｗｉｎｄｏｗｓ，０５／０７，２  ｐａｇｅｓ
（非特許文献４０）  ｗｗｗ．ｍｏｘｔｅｋ．ｃｏｍ，Ｍｏｘｔｅｋ，ＰｒｏＬｉｎｅ  Ｓｅｒｉｅｓ  １０  Ｗｉｎｄｏｗｓ，Ｕｌｔｒａ−ｔｈｉｎ  Ｐｏｌｙｍｅｒ  Ｘ−Ｒａｙ  Ｗｉｎｄｏｗｓ，０９／０６，２  ｐａｇｅｓ
（非特許文献４１）  ｗｗｗ．ｍｏｘｔｅｋ．ｃｏｍ，Ｍｏｘｔｅｋ，Ｓｅａｌｅｄ  Ｐｒｏｐｏｒｔｉｏｎａｌ  Ｃｏｕｎｔｅｒ  Ｘ−Ｒａｙ  Ｗｉｎｄｏｗｓ，１０／０７，３  ｐａｇｅｓ
（非特許文献４２）  ｗｗｗ．ｍｏｘｔｅｋ．ｃｏｍ，Ｘ−Ｒａｙ  Ｗｉｎｄｏｗｓ，ＰｒｏＬＩＮＥ  Ｓｅｒｉｅｓ  ２０  Ｗｉｎｄｏｗｓ  Ｕｌｔｒａ−ｔｈｉｎ  Ｐｏｌｙｍｅｒ  Ｘ−ｒａｙ  Ｗｉｎｄｏｗｓ，２  ｐａｇｅｓ．Ａｐｐｌｉｃａｎｔ  ｂｅｌｉｅｖｅｓ  ｔｈａｔ  ｔｈｉｓ  ｐｒｏｄｕｃｔ  ｗａｓ  ｏｆｆｅｒｅｄ  ｆｏｒ  ｓａｌｅ  ｐｒｉｏｒ  ｔｏ  ｔｈｅ  ｆｉｌｉｎｇ  ｄａｔｅ  ｏｆ  ａｐｐｌｉｃａｎｔ'ｓ  ａｐｐｌｉｃａｔｉｏｎ．
（非特許文献４３）  Ｙａｎ，Ｘｉｎｇ−Ｂｉｎ，ｅｔ  ａｌ．，"Ｆａｂｒｉｃａｔｉｏｎｓ  ｏｆ  Ｔｈｒｅｅ−Ｄｉｍｅｎｓｉｏｎａｌ  ＺｎＯ−Ｃａｒｂｏｎ  Ｎａｎｏｔｕｂｅ（ＣＮＴ）Ｈｙｂｒｉｄｓ
（非特許文献４４）  Ｕｓｉｎｇ  Ｓｅｌｆ−Ａｓｓｅｍｂｌｅｄ  ＣＮＴ  Ｍｉｃｒｏｐａｔｔｅｒｎｓ  ａｓ  Ｆｒａｍｅｗｏｒｋ，２００７．Ｐｇｓ  １７２５４−１７２５９，Ｖｏｌ  ＩＩＩ．
（非特許文献４５）  ＰＣＴ  ａｐｐｌｉｃａｔｉｏｎ  ＥＰ１２１６７５５１．６；  ｆｉｌｉｎｇ  ｄａｔｅ  ０５／１０／２０１２：  Ｒｏｂｅｒｔ  Ｃ．Ｄａｖｉｓ；  Ｅｕｒｏｐｅａｎ  ｓｅａｒｃｈ  ｒｅｐｏｒｔ  ｍａｉｌｅｄ  １１／２１／２０１３．
（非特許文献４６）  ＵＳ  Ｐａｔｅｎｔ  Ａｐｐｌｉｃａｔｉｏｎ  １１／７５６，９６２；  ｆｉｌｅｄ  Ｊｕｎｅ  １，２００７；  Ａｎｄｅｒｓｏｎ  ｅｔ  ａｌ．
（非特許文献４７）  ＵＳ  Ｐａｔｅｎｔ  Ａｐｐｌｉｃａｔｉｏｎ  １２／３５２，８６４；  ｆｉｌｅｄ  Ｊａｎｕａｒｙ  １３，２００９；  Ｌｉｎｅｓ
（非特許文献４８）  ＵＳ  Ｐａｔｅｎｔ  Ａｐｐｌｉｃａｔｉｏｎ  １２／７２６，１２０；  ｆｉｌｅｄ  Ｍａｒｃｈ  １７，２０１０；  Ｌｉｎｅｓ
（非特許文献４９）  ＵＳ  Ａｐｐｌｉｃａｔｉｏｎ  １２／６４０，１５４；  ｆｉｌｅｄ  １２／１７／２００９；  Ｋｒｚｙｓｚｔｏｆ  Ｋｏｚａｃｚｅｋ
（非特許文献５０）  ＵＳ  Ａｐｐｌｉｃａｔｉｏｎ  １２／７８３，７０７；  ｆｉｌｅｄ  ５／２０／２０１０；  Ｓｔｅｖｅｎ  Ｄ．Ｌｉｄｄｉａｒｄ
（非特許文献５１）  ＵＳ  Ａｐｐｌｉｃａｔｉｏｎ  １２／８９９，７５０；  ｆｉｌｅｄ  １０／０７／２０１０；  Ｓｔｅｖｅｎ  Ｌｉｄｄｉａｒｄ
（非特許文献５２）  ＵＳ  Ａｐｐｌｉｃａｔｉｏｎ  １３／０１８，６６７；  ｆｉｌｅｄ  ０２／０１／２０１１；  Ｌｅｉ  Ｐｅｉ
（非特許文献５３）  ＵＳ  Ａｐｐｌｉｃａｔｉｏｎ  １３／３１２，５３１；  ｆｉｌｅｄ  １２／０６／２０１１；  Ｓｔｅｖｅｎ  Ｌｉｄｄｉａｒｄ